(57)【要約】【課題】複数の人体検知センサとコントローラとを繋ぐ電気配線を短くできるとともに、手洗器の下側空間でそれら各センサからの電気配線とコントローラとの配線接続作業を不要化でき、また手洗器の下側空間で多数且つ多種の電気配線が複雑に入り組んだ状態となって同空間を煩雑化してしまう問題を解消し、施工及びメンテナンス作業性を良好となし得る自動手洗乾燥装置を提供する。【解決手段】石鹸液吐出装置の吐出口４０，手洗水吐水装置の吐水口３８，温風乾燥装置の吹出口３６及びそれぞれに対応した人体検知センサを備えた機能部ユニット１６を手洗器１２の上面側に備え付けるとともに、手洗器１２の下側に石鹸液の給液装置，手洗水の給水装置，乾燥風の送風装置を設置した自動手洗乾燥装置において、動作制御のためのコントローラ１１４を機能部ユニット１６のケース１８内部に組み込むようにする。【選択図】        図３
2006255226.tif 000002
【特許請求の範囲】
【請求項１】
石鹸液吐出装置における吐出口，手洗水吐水装置における吐水口，温風乾燥装置における温風の吹出口及びそれぞれに対応した人体検知センサを備えた機能部ユニットを手洗器等の水受器の上面側に備え付けるとともに、該水受器の下側に、前記石鹸液吐出装置における石鹸液の給液装置，前記手洗水吐水装置における手洗水の給水装置，前記温風乾燥装置における乾燥風の送風装置を設置して成る自動手洗乾燥装置において
動作制御のためのコントローラを前記機能部ユニットのケース内部に組み込んであることを特徴とする自動手洗乾燥装置。
【請求項２】
請求項１において、前記機能部ユニットのケースが下ケースと上蓋とを有しており、該上蓋に前記コントローラが前記下ケースの底部から浮いた状態に吊下げ固定してあることを特徴とする自動手洗乾燥装置。
【請求項３】
請求項１，２の何れかにおいて、前記上蓋に電源トランスが前記下ケースの底部から浮いた状態に吊下げ固定してあるとともに、該電源トランスの周りに、配管外面からの結露水の該電源トランスへの付着防止用の防水カバーが設けてあることを特徴とする自動手洗乾燥装置。
【発明の詳細な説明】
【技術分野】
【０００１】
この発明は石鹸液の吐出，手洗水の吐水，手乾燥用の温風吹出しを自動的に行う自動手洗乾燥装置に関する。
【背景技術】
【０００２】
従来、石鹸液の吐出，手洗水の吐水，手乾燥用の温風吹出しを人体検知センサによる人体検知に基づいてコントローラの動作制御の下に自動的に行う自動手洗乾燥装置が公知である。
例えば下記特許文献１にこの種の自動手洗乾燥装置が開示されている。
【０００３】
この特許文献１に開示の自動手洗乾燥装置では、石鹸液吐出装置における吐出口，手洗水の吐水口，温風乾燥装置における温風の吹出口及びそれぞれに対応した人体検知センサを備えた機能部ユニットが手洗器の上面側に備え付けられ、また手洗器の下側に、石鹸液吐出装置における石鹸液の給液装置，手洗水吐水装置における手洗水の給水装置，温風乾燥装置における乾燥風の送風装置が設置されている。
【０００４】
しかしながらこの自動手洗乾燥装置では、動作制御のためのコントローラが手洗器の下側に設けられており、これに起因して次のような問題が生ずる。
この自動手洗乾燥装置の設置に際しては、手洗器及び機能部ユニットの施工と、その下側の石鹸液の給液装置，手洗水の給水装置，乾燥風の送風装置等の施工を別々に行うが、その際手洗器の下側に動作制御のためのコントローラも併せて設けなければならず、このとき手洗器側の機能部ユニットの複数の人体検知センサからそれぞれに対応した電源線と信号線との各２種類の電気配線を下方に引き回して、手洗器の下側空間でそれぞれをコントローラと接続しなければならず、必然的に各人体検知センサとコントローラとの接続用の電気配線の長さが長く（０．８〜１ｍ程度）なってしまうとともに、配線接続の作業も面倒となる。
【０００５】
また手洗器の下側空間では、コントローラと上記各人体検知センサからの電気配線を接続するのに加えて、そのコントローラと石鹸液の給液装置，手洗水の吐水装置，乾燥風の送風装置のそれぞれとを、例えば給液装置における給液ポンプ，給水装置における給水制御用の電磁弁，送風装置におけるモータ等とを電源線で繋がなければならず、手洗器の下側空間での配線接続の作業工数が多くなってしまい、施工性が悪いといった問題があった。
また手洗器の下側空間でそれら多数且つ多種類の電気配線が入り組んだ状態となって、同空間がそれら多数且つ多種類の電気配線で煩雑化してしまうといった問題があった。
またメンテナンスに際しても、手洗器の下側空間で多数且つ多種類の電気配線が複雑に入り組んだ状態となっているため、どの電気配線が何の電気配線であるかの見極めが難しく、メンテナンス作業性も悪いものとなっていた。
【０００６】
【特許文献１】特許第２６５６２８９号公報
【発明の開示】
【発明が解決しようとする課題】
【０００７】
本発明は以上のような事情を背景とし、各種人体検知センサとコントローラとを繋ぐ電気配線を短くできるとともに、手洗器やキッチンシンク等の水受器の下側空間でのそれら各人体検知センサからの電気配線とコントローラとの配線接続作業を不要化でき、また水受器の下側空間で多数且つ多種の電気配線が複雑に入り組んだ状態となって同空間が煩雑化してしまう問題を解消し、施工及びメンテナンスの際の作業性を良好となし得るとともに、水受器の下側空間をすっきりとしたものとなし得る自動手洗乾燥装置を提供することを目的としてなされたものである。
【課題を解決するための手段】
【０００８】
而して請求項１のものは、石鹸液吐出装置における吐出口，手洗水吐水装置における吐水口，温風乾燥装置における温風の吹出口及びそれぞれに対応した人体検知センサを備えた機能部ユニットを手洗器等の水受器の上面側に備え付けるとともに、該水受器の下側に、前記石鹸液吐出装置における石鹸液の給液装置，前記手洗水吐水装置における手洗水の給水装置，前記温風乾燥装置における乾燥風の送風装置を設置して成る自動手洗乾燥装置において、動作制御のためのコントローラを前記機能部ユニットのケース内部に組み込んであることを特徴とする。
【０００９】
請求項２のものは、請求項１において、前記機能部ユニットのケースが下ケースと上蓋とを有しており、該上蓋に前記コントローラが前記下ケースの底部から浮いた状態に吊下げ固定してあることを特徴とする。
【００１０】
請求項３のものは、請求項１，２の何れかにおいて、前記上蓋に電源トランスが前記下ケースの底部から浮いた状態に吊下げ固定してあるとともに、該電源トランスの周りに、配管外面からの結露水の該電源トランスへの付着防止用の防水カバーが設けてあることを特徴とする。
【発明の作用・効果】
【００１１】
以上のように本発明は、自動手洗乾燥装置における動作制御のためのコントローラを、水受器の上面側に備え付けられる機能部ユニットのケース内部に組み込んだもので、本発明によれば、自動手洗乾燥装置の設置に際して各人体検知センサとコントローラとを繋ぐ電気配線の長さを従来に較べ著しく短くすることができるとともに、施工に際して各人体検知センサからの電気配線を水受器の下側空間に長く垂らして引き回すといった必要がなく、また施工時に同空間で各人体検知センサからの電気配線とコントローラとの接続作業を行う必要もなく、施工を容易なものとなすことができる。
【００１２】
更にまた、水受器の下側空間で多数且つ多種の電気配線が複雑に入り組んだ状態となって同空間が煩雑化してしまうといった問題も解消でき、同空間をすっきりとしたものとなすことができる。
またメンテナンスに際しても各電気配線の識別が容易であり、メンテナンス作業性も良好となる。
【００１３】
ところでこのように機能部ユニットのケース内にコントローラを組み込むようにすると、万一ケース内に水が浸入したとき、コントローラが水に浸かってしまう恐れが生じる。
ここにおいて請求項２は、そのケースを下ケースと上蓋とで構成し、その上蓋にコントローラを下ケースの底部から浮いた状態に吊下げ固定するようになしたもので、このようにしておけば、万一機能部ユニットのケース内部に水が入り込んだ場合であっても、コントローラが水に浸かってしまう恐れを無くすことができる。
【００１４】
次に請求項３は、変圧用の電源トランスを機能部ユニットにおけるケース内部に収納し且つこれを上蓋に吊下げ固定するようになすとともに、その電源トランスの周りに、ケース内部の配管外面からの結露水が電源トランスに付着するのを防止する防水カバーを設けたもので、このようにしておけば、電源トランスを機能部ユニットのケース内部に配管とともに設けた場合であっても、電源トランスに結露水が付着してショート等のトラブルが生じるのを防ぐことができる。
【発明を実施するための最良の形態】
【００１５】
次に本発明の実施形態を図面に基づいて詳しく説明する。
図１において、１０は自動手洗乾燥装置（ここでは壁掛式）で、陶器製の手洗器（水受器）１２と、その下部のキャビネット１４及び手洗器１２に装着された機能部ユニット１６とを有している。
機能部ユニット１６はケース１８を有しており、各種機能部がそこに内蔵されている。
【００１６】
ここでケース１８は、その本体をなす下ケース１８Ａとその上端の開口を閉鎖する上蓋１８Ｂとを有している。
手洗器１２の後部には、図２及び図３に示しているようにその後端縁に沿って立ち上る後壁部２４と、左右一対の側壁部２６とで囲まれた収容凹部２８が形成されており、図２にも示しているようにその収容凹部２８に上記の機能部ユニット１６が収容されている。
【００１７】
機能部ユニット１６は、その後面と側面とがそれぞれ後壁部２４と左右一対の側壁部２６とで囲われており、その前面が手洗器１２のボウル部３２に向けて開放されている。
ここで収容凹部２８の底部は、機能部ユニット１６を支持する平坦な支持部３０とされている。
尚図２において、３４はボウル部３２に設けられた排水口である。
【００１８】
図１に示しているように、機能部ユニット１６には石鹸液吐出装置における石鹸液の吐出口４０と対応する人体検知センサ４６，手洗水吐水装置における手洗水の吐水口３８と対応する人体検知センサ４４、更に温風乾燥装置における温風の吹出口３６と対応する人体検知センサ４２とが備えられている。
【００１９】
この自動手洗乾燥装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
【００２０】
また吐水口３８の前方に手を差し出すと、人体検知センサ４４がこれを検知して自動的に吐水口３８から温水を吐水する。更に吹出口３６の前方に手を差し出すと、人体検知センサ４２がこれを検知して吹出口３６から温風を吹き出し、濡れた手を乾燥させる。
尚吹出口３６は、吹出ノズル１００の先端に細長いスリット状に形成されている。
また図１中石鹸液の吐出口４０の左側の隣接位置には、石鹸液補給用の引出し４８が出し入れ可能に設けられている。
石鹸液の補給は、この引出し４８を引き出した状態で上方からそこに石鹸液を注ぐことにより行う。
ここで各人体検知センサ４６，４４，４２のそれぞれは反射型赤外線式のセンサとされており、発光部から赤外線を発光し、人体からの反射光を受光部で受光して人体の有無と検知する。
【００２１】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２２】
手洗器１２の下側且つキャビネット１４の内部には、石鹸液吐出装置における石鹸液の給液装置１０８，手洗水吐水装置における手洗水の給水装置１１０及び温風乾燥装置における送風装置３５がそれぞれ収容されている。
【００２３】
石鹸液の給液装置１０８は石鹸液タンク６０，石鹸液タンク６０から延び出した給液管６２上に設けられた給液ポンプ６４を有しており、その石鹸液タンク６０内部に所定量の石鹸液が貯溜されるようになっている。そしてこの石鹸液タンク６０内の石鹸液が、給液ポンプ６４により給液管６２を通じて上記の石鹸液の吐出口４０へと送られるようになっている。
【００２４】
尚石鹸液タンク６０内の石鹸液の液量が少なくなったときには、上記の引出し４８を通じて石鹸液が補給される。補給された石鹸液は補給管６６を通じて石鹸液タンク６０内に流入する。
この給液装置１０８は更に空気ポンプ７０を有しており、この空気ポンプ７０により所定圧力で空気が給気管６８を通じ吐水口４０の側へと送られるようになっている。
給液ポンプ６４にて送られた石鹸液は空気ポンプ７０にて送られた空気と混合され、吐出口４０からムース状に吐出される。
【００２５】
上記手洗水の給水装置１１０は、湯水の混合部５４と手洗水（温水）の供給遮断を行う電磁弁（制御弁）５６とを有しており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られ、そこからボウル部３２に向けて手洗水として吐水される。
【００２６】
上記送風装置３５は、ケース１１２内部にヒータと送風機を有しており、この送風装置３５から送風管７４が図中上向きに延び出している。そして送風管７４を通じて吹出口３６に乾燥用の温風を供給するようになっている。
【００２７】
図２に示しているように、上記の吹出ノズル１００は吹出室ケース７８に一体的に設けられている。
吹出室ケース７８の内部には吹出室８０が形成されている。
この吹出室８０は送風路の一部をなしていて、送風管７４を通じて上向に送り出された温風が、この吹出室８０を通過して吹出口３６へと送られる。
【００２８】
図３及び図４に示しているように、機能部ユニット１６のケース１８内部には、自動手洗乾燥装置１０における動作制御のためのコントローラ（制御基盤）１１４と、電圧変換を行う電源トランス１１６とが組み込まれている。
図３及び図５に示しているように、これらコントローラ１１４及び電源トランス１１６は、それぞれ上蓋１８Ｂの裏面に吊下げ状態に固定されている。
詳しくは、図３の部分拡大図に示しているように上蓋１８Ｂの下面にはボス部１１８が下向きに突設されており、そのボス部１１８への固定ねじ１２０のねじ込みによって、それらコントローラ１１４及び電源トランス１１６が吊持状態に固定されている。
【００２９】
図６に示しているように、コントローラ１１４からは商用電源との接続用の電気配線（電源線）１２２が延び出しており、更に電源トランス１１６との接続用の電気配線（電源線）１２４が延び出している。
このコントローラ１１４からはまた、上記の石鹸液吐出用の人体検知センサ４６，手洗水の吐水用の人体検知センサ４４，手乾燥用の人体検知センサ４２のそれぞれに電源供給するための電気配線（電源線）１２６，１２８，１３０及びそれらとの間で信号を授受するための電気配線（信号線）１３２，１３４，１３６が延び出しており、それぞれが機能部１６内において、詳しくはケース１８内において各対応する人体検知センサ４６，４４，４２に接続されている。
【００３０】
更にまたこのコントローラ１１４からは、石鹸液の給液装置における給液ポンプ６４，空気ポンプ７０，手洗水の給水装置における電磁弁５６，温風乾燥装置における送風装置３５に対してそれぞれ電源供給するための電気配線（電源線）１３８，１４０，１４２，１４４が延び出しており、それぞれが手洗器１２の下側空間即ちキャビネット１４の内部空間で、各対応する給液ポンプ６４，空気ポンプ７０，電磁弁５６，送風装置３５に接続されている。
【００３１】
図３及び図４に示しているように、石鹸液を供給する給液管６２，手洗水を供給する給水管５８は、それぞれ機能部ユニット１６内において電源トランス１１６に近接して配管されており、そこでこの実施形態では、それら配管の外面で結露した水が電源トランス１１６に付着するのを防止すべく、電源トランス１１６の周りに結露水付着を防止するための防水カバー１４６が設けられている。
ここで防水カバー１４６は、電源トランス１１６の図４中後側の略半分を覆う形態で設けられている。
この防止カバー１４６は、図５にも示しているように上蓋１８Ｂの裏面から下向きに垂下する形態で上蓋１８Ｂに一体に形成されている。
【００３２】
以上のように本実施形態によれば、各人体検知センサ４２，４４，４６とコントローラ１１４とを繋ぐ電気配線１３２，１３４，１３６の長さを従来に較べ著しく短くすることができるとともに、自動手洗乾燥装置１０の設置施工に際して各人体検知センサ４２，４４，４６からの電気配線１３２，１３４，１３６を手洗器１２の下側空間に長く垂らして引き回すといった必要がなく、また施工時に同空間で各人体検知センサ４２，４４，４６からの電気配線１３２，１３４，１３６とコントローラ１１４との接続作業を行う必要もなく、施工を容易化することができる。
【００３３】
また手洗器１２の下側空間で多数且つ多種の電気配線が複雑に入り組んだ状態となって同空間が煩雑化してしまうといった問題も解消でき、同空間をすっきりとしたものとなすことができる。
またメンテナンスに際しても各電気配線の識別が容易であり、メンテナンス作業性も良好となる。
【００３４】
また本実施形態では、ケース１８の上蓋１８Ｂにコントローラ１１４を下ケース１８Ａの底部から浮いた状態に吊下げ固定していることから、万一機能部ユニット１６のケース１８内部に水が入り込んだ場合であっても、コントローラ１１４が水に浸かってしまう恐れを無くすことができる。
【００３５】
また電源トランス１１６についても機能部ユニット１６のケース１８の上蓋１８Ｂに吊下げ固定するようになすとともに、その電源トランス１１６の周りには結露水の付着防止用の防水カバー１４６を設けているため、電源トランス１１６を機能部ユニット１６のケース１８内部に配管とともに設けた場合であっても、電源トランス１１６に結露水が付着してショート等のトラブルを生ぜしめてしまうこともない。
【００３６】
以上本発明の実施形態を詳述したが、これはあくまで一例示であり、本発明はその趣旨を逸脱しない範囲において種々変更を加えた形態で構成可能である。
【図面の簡単な説明】
【００３７】
【図１】本発明の一実施形態である自動手洗乾燥装置を示す全体図である。
【図２】図１の自動手洗乾燥装置の縦断面図である。
【図３】図１における機能部ユニットを分解して示す図である。
【図４】同機能部ユニットの上蓋の一部を切り欠いた状態で示す平面図である。
【図５】上蓋の裏面の一部を示す斜視図である。
【図６】同実施形態のコントローラと各人体検知センサ等との電気配線関係を示した図である。
【符号の説明】
【００３８】
１０  自動手洗乾燥装置
１２  手洗器（水受器）
１６  機能部ユニット
１８  ケース
１８Ａ  下ケース
１８Ｂ  上蓋
３５  送風装置
３６  吹出口
３８  吐水口
４０  吐出口
４２，４４，４６  人体検知センサ
１０８  給液装置
１１０  給水装置
１１４  コントローラ（制御基盤）
１１６  電源トランス
１４６  防水カバー
【図１】
2006255226.tif 000003
【図２】
2006255226.tif 000004
【図３】
2006255226.tif 000005
【図４】
2006255226.tif 000006
【図５】
2006255226.tif 000007
【図６】
2006255226.tif 000008